(57)【要約】【課題】  緊急を要する情報などを、情報を受けるべき者に的確に提供する。【解決手段】  複数の電柱Ｐ１〜Ｐｎに配設される表示装置２１〜２ｎと、管理コンピュータ３とが通信可能に接続されている。管理コンピュータ３には、電柱Ｐ１〜Ｐｎの設置場所や該電柱Ｐ１〜Ｐｎに配設されている表示装置２１〜２ｎの識別情報などを記憶した電柱データベース３４と、災害や迷子などのイベントの内容や発生場所などのイベント情報に基づいて、提供するイベント掲載内容と提供すべき対象電柱Ｐ１〜Ｐｎとを割り出し、イベント掲載内容を対象電柱Ｐ１〜Ｐｎの表示装置２１〜２ｎに送信するイベントタスク３７と、を備える。そして、表示装置２１〜２ｎは、管理コンピュータ３から送信されたイベント掲載内容を表示する。【選択図】  図１
2010257107.tif 000002
【特許請求の範囲】
【請求項１】
複数の電柱に配設される表示装置と、情報提供管理装置とが通信可能に接続され、
前記情報提供管理装置に、
前記電柱の設置場所や該電柱に配設されている表示装置の識別情報などを記憶した電柱データベースと、
災害や迷子などのイベントの内容や発生場所などのイベント情報に基づいて、提供するイベント掲載内容と提供すべき対象電柱とを割り出し、前記イベント掲載内容を前記対象電柱の表示装置に送信する処理手段と、を備え、
前記表示装置は、前記情報提供管理装置から送信されたイベント掲載内容を表示する、ことを特徴とする情報表示システム。
【請求項２】
イベントが発生していない場合には、前記処理手段は、広告内容や電柱の所在地などの通常時掲載内容を、所定の電柱の表示装置に送信し、
前記表示装置は、前記情報提供管理装置から送信された通常時掲載内容を表示する、ことを特徴とする請求項１に記載の情報表示システム。
【請求項３】
前記処理手段は、前記イベント情報に基づいて、特定の者に提供する特定者提供内容を割り出し、該特定者提供内容を前記表示装置に送信し、
前記表示装置は、可視光通信機能を備え、前記情報提供管理装置から送信された特定者提供内容を可視光通信によって発信する、ことを特徴とする請求項１または２のいずれか1項に記載の情報表示システム。
【発明の詳細な説明】
【技術分野】
【０００１】
この発明は、電柱にディスプレイを設置して、広告内容や災害情報などを表示する情報表示システムに関する。
【背景技術】
【０００２】
広告などを掲載した袖看板などを電柱に取り付けることで、宣伝、広告や避難所の情報提供などに、電柱を活用することが従来から行われている。また、電柱に表示装置を設置し、電柱に既設されている通信線を利用して、いろいろな情報を表示装置に表示するシステムが知られている（例えば、特許文献１参照。）。このシステムは、自社ＰＲ情報や広告情報などが更新されると、電柱に既設されている通信線を介して、サーバから表示装置に更新情報を送信する。そして、表示装置では、受信した更新情報に基づいて、自社ＰＲ情報や広告情報などを順次一定時間表示するものである。
【先行技術文献】
【特許文献】
【０００３】
【特許文献１】特開２００８−１８１０５５号公報
【発明の概要】
【発明が解決しようとする課題】
【０００４】
ところで、例えば災害などが発生した場合、災害の内容や避難所などの災害情報を、その災害の発生場所や内容、状況などに応じて提供する必要がある。つまり、避難などを要する地域の住民などに対して、的確に災害情報を提供する必要がある。従って、電柱に設置した表示装置で災害情報を提供する場合、例えば、避難を要する地域内の電柱の表示装置でのみ避難情報を表示する必要があり、他の地域内の電柱の表示装置で避難情報を表示すると、混乱を招くおそれがある。また、災害情報や迷子に関する情報などは、広告情報などとは異なり緊急性を要し、優先的に提供されるべきものである。
【０００５】
そこでこの発明は、緊急を要する情報などを、情報を受けるべき者に的確に提供することが可能な情報表示システムを提供することを目的とする。
【課題を解決するための手段】
【０００６】
上記目的を達成するために請求項１に記載の発明は、複数の電柱に配設される表示装置と、情報提供管理装置とが通信可能に接続され、前記情報提供管理装置に、前記電柱の設置場所や該電柱に配設されている表示装置の識別情報などを記憶した電柱データベースと、災害や迷子などのイベントの内容や発生場所などのイベント情報に基づいて、提供するイベント掲載内容と提供すべき対象電柱とを割り出し、前記イベント掲載内容を前記対象電柱の表示装置に送信する処理手段と、を備え、前記表示装置は、前記情報提供管理装置から送信されたイベント掲載内容を表示する、ことを特徴とする情報表示システムである。ここで、この発明では、電柱には、配電線が架空敷設された柱状の電力柱の他に、配電線が地中に埋設された路上機器（外筐）や、通信線を架空敷設した通信柱も含む。
【０００７】
この発明によれば、災害や迷子などのイベントが発生すると、情報提供管理装置の処理手段によって、イベント情報に基づいて、提供するイベント掲載内容と提供すべき対象電柱とが割り出され、イベント掲載内容が対象電柱の表示装置に送信される。そして、このイベント掲載内容を受信した表示装置によって、イベント掲載内容が表示される。
【０００８】
請求項２に記載の発明は、請求項１に記載の情報表示システムにおいて、イベントが発生していない場合には、前記処理手段は、広告内容や電柱の所在地などの通常時掲載内容を、所定の電柱の表示装置に送信し、前記表示装置は、前記情報提供管理装置から送信された通常時掲載内容を表示する、ことを特徴とする。
【０００９】
この発明によれば、イベントが発生していない通常時においては、所定の電柱の表示装置に通常時掲載内容が送信され、表示装置によって広告内容や所在地などが表示される。一方、イベントが発生すると、情報提供管理装置から表示装置にイベント掲載内容が送信され、表示装置によって通常時掲載内容に代わってイベント掲載内容が表示される。
【００１０】
請求項３に記載の発明は、請求項１または２に記載の情報表示システムにおいて、前記処理手段は、前記イベント情報に基づいて、特定の者に提供する特定者提供内容を割り出し、該特定者提供内容を前記表示装置に送信し、前記表示装置は、可視光通信機能を備え、前記情報提供管理装置から送信された特定者提供内容を可視光通信によって発信する、ことを特徴とする。
【００１１】
この発明によれば、可視光通信によるデータ受信が可能なレシーバを所持した特定の者が、レシーバでデータ受信することで特定者提供内容が知得される。
【発明の効果】
【００１２】
請求項１に記載の発明によれば、イベント情報に基づいて、提供するイベント掲載内容と提供すべき対象電柱とが割り出され、その対象電柱の表示装置からイベント掲載内容が表示される。つまり、緊急を要する情報などのイベント掲載内容と、情報を受けるべき者が所在する地域の電柱とが割り出され、その対象電柱の表示装置からイベント掲載内容が表示されるため、緊急を要する情報などを、その情報を受けるべき者に的確に提供することが可能となる。
【００１３】
請求項２に記載の発明によれば、通常時においては、電柱の表示装置に広告内容や所在地などが表示され、イベントが発生すると、広告内容などに代わってイベント掲載内容が表示されるため、緊急を要する情報など（イベント掲載内容）を、優先的にかつ的確に提供することが可能となる。しかも、通常時は広告内容などを表示するため、表示装置を宣伝、広告などに有効活用することができる。
【００１４】
請求項３に記載の発明によれば、特定の者に提供する特定者提供内容を、表示装置から可視光通信によって発信するため、より多様な情報提供が可能となる。つまり、表示装置の表示による情報提供と、表示装置の可視光通信による情報提供との二種類の提供方法・手段により、イベントの内容や発生状況などに応じた適正かつ多様な情報提供が可能となる。
【図面の簡単な説明】
【００１５】
【図１】この発明の実施の形態に係る情報表示システムを示す概略構成図である。
【図２】図１のシステムの表示装置の概略構成ブロック図である。
【図３】図１のシステムの管理コンピュータの電柱データベースのデータ構成図である。
【図４】図１のシステムの管理コンピュータの広告データベースのデータ構成図である。
【図５】図１のシステムの管理コンピュータの広告タスクのフローチャートである。
【図６】図１のシステムの管理コンピュータのイベントタスクのフローチャートである。
【図７】図１のシステムによる情報提供方法を示すタイミングチャートである。
【発明を実施するための形態】
【００１６】
以下、この発明を図示の実施の形態に基づいて説明する。
【００１７】
図１は、この発明の実施の形態に係る情報表示システム１を示す概略構成図である。このシステム１は、電柱Ｐ１〜Ｐｎを利用して広告内容や災害情報などを提供するシステムであり、主として、各電柱Ｐ１〜Ｐｎに配設された表示装置２１〜２ｎと、情報管理センタに設置された管理コンピュータ（情報提供管理装置）３とを備えている。また、各表示装置２１〜２ｎと管理コンピュータ３とは、電柱Ｐ１〜Ｐｎに既設されている通信網ＮＷを介して通信可能に接続されている。
【００１８】
各表示装置２１〜２ｎは、図２に示すように、平板状（袖看板状）の装置本体２１と、装置本体２１の上部に取り付けられたソーラパネル２２と、装置本体２１の両面に配設された高輝度ＬＥＤ（Ｌｉｇｈｔ  Ｅｍｉｔｔｉｎｇ  Ｄｉｏｄｅ）パネル２３とを備えている。また、装置本体２１には、充放電制御部２１１と、バッテリ２１２と、直交流変換部２１３と、電源制御部２１４と、送受信部２１５と、パネル制御部２１６と、これらを制御などする中央制御部２１７とを備えている。
【００１９】
そして、ソーラパネル２２で太陽光発電された電力が、充放電制御部２１１を介してバッテリ２１２に供給され、バッテリ２１２が充電されるようになっている。また、電源制御部２１４は、電柱Ｐ１〜Ｐｎに架設されている配電線を介して商用電源ＣＰに接続され、所定の電圧に変圧してＬＥＤパネル２３に電力を供給するようになっている。一方、商用電源ＣＰからの電力供給が途絶えた場合には、充放電制御部２１１を介してバッテリ２１２が放電し、直交流変換部２１３によって交流に変換されて電源制御部２１４に送られ、ＬＥＤパネル２３に電力供給される。
【００２０】
送受信部２１５は、通信網ＮＷに接続され、管理コンピュータ３から後述する通常時掲載内容やイベント掲載内容などを受信する通信機器であり、受信した情報はメモリ（図示せず）に記憶されるようになっている。パネル制御部２１６は、変調機能を備え、ＬＥＤパネル２３の表示や点滅を制御する機器である。すなわち、中央制御部２１７からの制御指令に従って、通常時掲載内容やイベント掲載内容などをＬＥＤパネル２３に表示出力させたり、ＬＥＤパネル２３の点滅速度・周波数を変調（サブキャリア反転パルス位相変調など）させて後述する特定者提供内容を可視光通信で発信させたりするものである。
【００２１】
また、中央制御部２１７は、後述するように、管理コンピュータ３から受信した広告内容・期間に基づいて、広告期間でのみ広告内容を表示するようにパネル制御部２１６に指令を送信し、広告内容を受信していない場合には、受信した所在地のみを表示するようにパネル制御部２１６に指令を送信する。さらに、広告内容や所在地などの通常時掲載内容を表示中にイベント掲載内容を受信した場合には、通常時掲載内容に代わってイベント掲載内容を表示するように、送受信部２１５に指令を送信したりするものである。
【００２２】
このようにして、各表示装置２１〜２ｎは、管理コンピュータ３から受信した通常時掲載内容やイベント掲載内容などを表示するとともに、可視光通信機能を備え、特定者提供内容を可視光通信によって発信するようになっている。ここで、この実施の形態では、後述するように、災害や迷子などのイベントが発生していない場合には、電柱Ｐ１〜Ｐｎの所在地や広告内容を、通常時掲載内容として表示装置２１〜２ｎに表示、掲載し、イベントが発生している場合には、イベント掲載内容を表示装置２１〜２ｎに表示するとともに、特定者提供内容を可視光通信で発信するものとする。
【００２３】
管理コンピュータ３は、主として、通信部３１と、テキスト解析部３２と、記憶部３３と、電柱データベース３４と、広告データベース３５と、広告タスク（処理手段）３６と、イベントタスク（処理手段）３７と、これらを制御などする中央処理部３８とを備えている。
【００２４】
通信部３１は、表示装置２１〜２ｎや広告担当機関、情報提供機関などと、通信網ＮＷを介してデータ通信するための通信装置である。ここで、広告担当機関とは、この実施の形態では、表示装置２１〜２ｎへの広告掲載を担当する電力会社の担当部署などであり、情報提供機関とは、緊急を要する情報や臨時の情報などを提供して表示装置２１〜２ｎへの掲載を依頼する自治体や警察署、消防署などである。具体的には、これらの機関のコンピュータやサーバなどと、通信網ＮＷを介して通信可能に接続され、これらの機関から、広告内容や広告対象地域、広告期間などの広告依頼情報や、災害や迷子などのイベントの内容や発生場所などのイベント情報などを、受信するようになっている。
【００２５】
テキスト解析部３２は、テキスト形成の情報（データ）を解析するテキスト解析機能を備え、テキスト形成の広告依頼情報やイベント情報などを解析し、広告依頼情報中の広告内容や広告対象地域、イベント情報中のイベントの内容や発生場所などを抽出するものである。記憶部３３は、通信部３１で受信した広告依頼情報やイベント情報や、後述するイベントタスク３７での演算結果などを記憶するメモリである。
【００２６】
電柱データベース３４は、各電柱Ｐ１〜Ｐｎの設置場所や電柱Ｐ１〜Ｐｎに配設されている表示装置２１〜２ｎの識別情報などを記憶したデータベースであり、図３に示すように、電柱番号３４１ごとに、設置場所３４２、表示装置ＩＤ３４３、広告ＩＤ３４４、イベント掲載ＩＤ３４５、避難所３４６、およびその他３４７が記憶されている。そして、電柱番号３４１には、各電柱Ｐ１〜Ｐｎを識別する識別番号が記憶され、設置場所３４２には、この電柱Ｐ１〜Ｐｎの所在地、経緯、緯度が記憶され、表示装置ＩＤ３４３には、この電柱Ｐ１〜Ｐｎに配設されている表示装置２１〜２ｎの識別情報が記憶されている。
【００２７】
さらに、広告ＩＤ３４４には、この表示装置２１〜２ｎに掲載される広告内容の識別情報が記憶され、イベント掲載ＩＤ３４５には、この表示装置２１〜２ｎで提供されているイベント掲載内容や特定者提供内容の識別情報が記憶されている。また、避難所３４６には、この電柱Ｐ１〜Ｐｎの所在地における避難所の情報が記憶され、災害規模・状況や避難所が満員の場合などに対応できるように、第１の避難所、第２の避難所と、複数の避難所が記憶されている。これらの情報のうち、電柱番号３４１、設置場所３４２、表示装置ＩＤ３４３および避難所３４６は、システム起動当初に記憶され、広告ＩＤ３４４は、後述するように広告タスク３６で記憶され、イベント掲載ＩＤ３４５は、後述するようにイベントタスク３７で記憶されるようになっている。
【００２８】
広告データベース３５は、広告に関する情報を記憶したデータベースであり、図４に示すように、広告ＩＤ３５１ごとに、広告内容３５２、広告主３５３、掲載地域３５４、掲載期間３５５、およびその他３５６が記憶されている。そして、広告ＩＤ３５１には、広告を識別する識別情報が記憶され、広告内容３５２には、広告の掲載内容が記憶され、広告主３５３には、広告の依頼者に関する情報が記憶されている。さらに、掲載地域３５４には、広告を掲載する広告対象地域、範囲が記憶され、掲載期間３５５には、広告を掲載する期間が記憶され、これらの情報は、後述するように広告タスク３６で記憶されるようになっている。
【００２９】
広告タスク３６は、広告担当機関から受信した広告依頼情報に基づいて、広告を掲載する対象電柱Ｐ１〜Ｐｎを割り出し、広告内容などを対象電柱Ｐ１〜Ｐｎの表示装置２１〜２ｎに送信するプログラムである。すなわち、図５に示すように、まず、テキスト解析部３２を起動して広告依頼情報を解析し、広告内容や広告対象地域、広告期間などを抽出する（ステップＳ１）。次に、抽出した広告対象地域内に設置されている対象電柱Ｐ１〜Ｐｎを、電柱データベース３４の設置場所３４２に基づいて検索する（ステップＳ２）。続いて、この広告の識別情報を割り当て（ステップＳ３）、割り当てた識別情報を広告データベース３５の広告ＩＤ３５１に記憶し、ステップＳ１で抽出した広告内容や広告期間などを広告内容３５２や掲載期間３５５などに記憶する（ステップＳ４）。さらに、割り当てた広告の識別情報を、ステップＳ２で検索した対象電柱Ｐ１〜Ｐｎの広告ＩＤ３４４に記憶する（ステップＳ５）とともに、対象電柱Ｐ１〜Ｐｎの表示装置２１〜２ｎ（表示装置ＩＤ３４３）に対して、広告内容と広告期間とを送信する（ステップＳ６）ものである。このような広告タスク３６は、広告担当機関から広告依頼情報を受信した際に、中央処理部３８によって起動される。
【００３０】
イベントタスク３７は、情報提供機関から受信したイベント情報に基づいて、提供するイベント掲載内容や提供すべき対象電柱Ｐ１〜Ｐｎなどを割り出し、イベント掲載内容などを対象電柱Ｐ１〜Ｐｎの表示装置２１〜２ｎに送信するプログラムである。すなわち、図６に示すように、まず、テキスト解析部３２を起動してイベント情報を解析し、災害や迷子などのイベントの内容や、イベントの発生場所などを抽出する（ステップＳ１１）。次に、抽出したイベントの内容や発生場所などに基づいて、イベント掲載内容を割り出す、あるいは作成する（ステップＳ１２）。すなわち、イベント情報中にイベント掲載内容が含まれている場合には、これを割り出し、含まれていない場合には、イベントの内容や発生場所からイベント掲載内容を作成する。
【００３１】
第１の例として、ステップＳ１１でイベントの内容として地震、発生場所として避難対象地域（ＡＡＡ）、発生日時として地震発生日時（ＢＢＢ）が抽出された場合には、「ＢＢＢ時に地震が発生しました。ＣＣＣ避難所に避難してください。」などというイベント掲載内容を作成する。また、第１の例に続いて第２の例として、ステップＳ１１でイベントの内容として避難所満員、発生場所として避難所（ＤＤＤ）が抽出された場合には、「ＤＤＤ避難所は満員となりましたので、ＥＥＥ避難所に避難してください。」などというイベント掲載内容を作成する。ここで、避難所を示すＣＣＣとＥＥＥは、後述するようにステップＳ１３で挿入される。
【００３２】
さらに、第３の例として、ステップＳ１１でイベントの内容として迷子、発生場所として子供を見失った場所（ＦＦＦ）、発生日時として子供を見失った日時（ＧＧＧ）が抽出され、さらにイベント情報に迷子の特徴（ＨＨＨ）が含まれている場合には、「ＧＧＧ時に、ＦＦＦで迷子が発生しました。迷子の特徴はＨＨＨです。発見した方は最寄りの警察にご連絡ください。」などというイベント掲載内容を作成する。また、第３の例に続いて第４の例として、ステップＳ１１でイベントの内容として迷子を見かけた旨、発生場所として迷子を見かけた場所（ＪＪＪ）、発生日時として見かけた日時（ＫＫＫ）が抽出された場合には、「ＫＫＫ時に、ＪＪＪで迷子を見かけたという情報がありました。迷子の特徴はＨＨＨです。発見した方は最寄りの警察にご連絡ください。」などというイベント掲載内容を作成する。
【００３３】
続いて、ステップＳ１１での解析、抽出結果に基づいて、イベント掲載内容を提供すべき対象電柱Ｐ１〜Ｐｎを割り出す（ステップＳ１３）。すなわち、上記の第１の例の場合、抽出した避難対象地域内に設置されている対象電柱Ｐ１〜Ｐｎを、電柱データベース３４の設置場所３４２に基づいて検索する。そして、検索した対象電柱Ｐ１〜Ｐｎに対する第１の避難所（ＣＣＣ）を電柱データベース３４の避難所３４６から取得し、ステップＳ１２で作成したイベント掲載内容のＣＣＣに挿入する。また、上記の第２の例の場合、満員である避難所ＤＤＤが避難所３４６に記憶されている対象電柱Ｐ１〜Ｐｎを、電柱データベース３４から検索する。そして、検索した対象電柱Ｐ１〜Ｐｎにおける次の避難所（ＥＥＥ）を電柱データベース３４の避難所３４６から取得し、ステップＳ１２で作成したイベント掲載内容のＥＥＥに挿入する。
【００３４】
さらに、上記の第３の例の場合、子供を見失った場所（ＦＦＦ）から半径所定距離内に設置されている対象電柱Ｐ１〜Ｐｎを、電柱データベース３４の設置場所３４２に基づいて検索する。また、上記の第４の例の場合、子供を見失った場所（ＦＦＦ）から半径所定距離内に設置されている対象電柱Ｐ１〜Ｐｎと、迷子を見かけた場所（ＪＪＪ）から半径所定距離内に位置する対象電柱Ｐ１〜Ｐｎとを、電柱データベース３４の設置場所３４２に基づいて検索する。このようにして、迷子を見かけた回数に応じて、対象電柱Ｐ１〜Ｐｎが増えるものである。
【００３５】
次に、ステップＳ１１での解析、抽出結果に基づいて、特定の者に提供する特定者提供内容を割り出し、あるいは作成する（ステップＳ１４）。すなわち、ステップＳ１２と同様に、イベント情報中に特定者提供内容が含まれている場合には、これを割り出し、含まれていない場合には、イベント情報中の情報から特定者提供内容を作成する。
【００３６】
上記の第１、２の例の場合、例えば、イベント情報中に被害情報が含まれている場合、「この地震によって、○○名の重傷者が出ました。」などという特定者提供内容を作成する。また、第３、４の例の場合、例えば、イベント情報中に迷子の親に関する情報が含まれている場合、「迷子親の氏名は、ＬＬＬで、連絡先はＮＮＮです。」という特定者提供内容を作成する。なお、イベント情報によっては、特定者提供内容が作成されない場合もある。
【００３７】
続いて、イベント掲載内容および特定者提供内容の識別情報を割り当て（ステップＳ１５）、割り当てた識別情報を、ステップＳ１３で割り出した対象電柱Ｐ１〜Ｐｎのイベント掲載ＩＤ３４５に記憶するとともに、イベント掲載内容および特定者提供内容を識別情報とともに、記憶部３３に記憶する（ステップＳ１６）。そして、対象電柱Ｐ１〜Ｐｎの表示装置２１〜２ｎに対して、イベント掲載内容および特定者提供内容を送信する（ステップＳ１７）ものである。ここで、特定者提供内容は、すべての対象電柱Ｐ１〜Ｐｎの表示装置２１〜２ｎに送信してもよいが、特定者提供内容の内容などに応じて、特定の対象電柱Ｐ１〜Ｐｎの表示装置２１〜２ｎにのみ（例えば、警察署や役場の近くの電柱の表示装置にのみ）送信してもよい。このようなイベントタスク３７は、情報提供機関からイベント情報を受信した際に、中央処理部３８によって起動される。
【００３８】
次に、このような構成の情報表示システム１の作用および、このシステム１による情報提供方法について、図７のタイミングチャートに基づいて説明する。
【００３９】
まず、システム１の起動時において、管理コンピュータ３からすべての電柱Ｐ１〜Ｐｎの表示装置２１〜２ｎに対して、各電柱Ｐ１〜Ｐｎの所在地、つまり電柱データベース３４の設置場所３４２のデータが送信される（ステップＳ２１）。続いて、広告担当機関から情報管理センタ（管理コンピュータ３）に広告依頼情報が送信されると（ステップＳ２２）、広告タスク３６が起動され（ステップＳ２３）、上記のようにして広告掲載の対象電柱Ｐ１〜Ｐｎの表示装置２１〜２ｎに対して、広告内容と広告期間とが送信される（ステップＳ２４）。そして、各表示装置２１〜２ｎにおいて現在時刻が広告期間外の場合には、該電柱Ｐ１〜Ｐｎの所在地が通常時掲載内容としてＬＥＤパネル２３に表示され、現在時刻が広告期間内の場合には、該電柱Ｐ１〜Ｐｎの所在地と広告内容とが通常時掲載内容としてＬＥＤパネル２３に表示される（ステップＳ２５）。これにより、電柱Ｐ１〜Ｐｎの近くを通った通行者が通常時掲載内容を見て、その所在地や広告内容を知得できるものである。
【００４０】
次に、情報提供機関から情報管理センタ（管理コンピュータ３）にイベント情報が送信されると（ステップＳ２６）、イベントタスク３７が起動され（ステップＳ２７）、上記のようにして情報提供の対象電柱Ｐ１〜Ｐｎの表示装置２１〜２ｎに対して、イベント掲載内容および特定者提供内容が送信される（ステップＳ２８）。そして、受信した各表示装置２１〜２ｎにおいて、通常時掲載内容に代わってイベント掲載内容がＬＥＤパネル２３に表示される（ステップＳ２９）とともに、特定者提供内容が可視光通信によってＬＥＤパネル２３から発信される（ステップＳ３０）。これにより、電柱Ｐ１〜Ｐｎの近くを通った通行者がイベント掲載内容を見て、災害や迷子の発生などを知得する。さらに、可視光通信によるデータ受信が可能なレシーバを所持した特定の者（例えば、警察官や役場の担当者）が、レシーバでデータ受信することで特定者提供内容を知得できるものである。その後、情報提供機関からイベント情報が送信される度に、上記のようにして（上記の第１の例から第２の例や、上記の第３の例から第４の例）、イベント掲載内容および特定者提供内容が更新され、最新の情報がＬＥＤパネル２３から提供される。
【００４１】
続いて、情報提供機関からイベントが終了した旨のイベント情報が送信されると（ステップＳ３１）、イベントタスク３７が起動されて（ステップＳ３２）、該当する対象電柱Ｐ１〜Ｐｎの表示装置２１〜２ｎに対して、イベント掲載内容等の終了指令が送信される（ステップＳ３３）。この指令を受けて、各表示装置２１〜２ｎにおいて、イベント掲載内容に代わって通常時掲載内容がＬＥＤパネル２３に表示される（ステップＳ３４）とともに、可視光通信による情報発信が停止される（ステップＳ３５）。さらに、広告担当機関から新たな広告依頼情報が送信されると、上記と同様にして（ステップＳ２２〜Ｓ２５）、対象電柱Ｐ１〜Ｐｎの表示装置２１〜２ｎに新たな広告内容と広告期間とが送信され、広告内容が更新されるものである。
【００４２】
以上のように、この情報表示システム１および情報提供方法によれば、情報提供機関からのイベント情報に基づいて、提供するイベント掲載内容と提供すべき対象電柱Ｐ１〜Ｐｎとが割り出され、その対象電柱Ｐ１〜Ｐｎの表示装置２１〜２ｎからイベント掲載内容が表示される。例えば、上記の第１の例の場合、避難対象地域内の電柱Ｐ１〜Ｐｎから、「ＢＢＢ時に地震が発生しました。ＣＣＣ避難所に避難してください。」などという情報が提供される。さらに、上記の第２の例の場合には、満員である避難所ＤＤＤを避難所とする電柱Ｐ１〜Ｐｎから、「ＤＤＤ避難所は満員となりましたので、ＥＥＥ避難所に避難してください。」などという情報が提供される。また、上記の第３の例の場合、子供を見失った場所から所定距離内の電柱Ｐ１〜Ｐｎから、「ＧＧＧ時に、ＦＦＦで迷子が発生しました。迷子の特徴はＨＨＨです。発見した方は最寄りの警察にご連絡ください。」などという情報が提供される。さらに、上記の第４の例の場合、子供を見失った場所と迷子を見かけた場所から所定距離内の電柱Ｐ１〜Ｐｎから、「ＫＫＫ時に、ＪＪＪで迷子を見かけたという情報がありました。迷子の特徴はＨＨＨです。発見した方は最寄りの警察にご連絡ください。」などという情報が提供される。
【００４３】
このように、緊急を要する情報などを、その情報を受けるべき者に的確に提供することが可能となる。さらに、イベント掲載内容とは別に特定者提供内容を、表示装置２１〜２ｎから可視光通信によって発信するため、より多様な情報提供が可能となる。しかも、レシーバを所持した特定の者しか情報を知得できないため、個人情報の保護やパニックの防止などを図ることができる。
【００４４】
また、通常時においては、電柱Ｐ１〜Ｐｎの表示装置２１〜２ｎに広告内容や所在地などを表示するため、電柱Ｐ１〜Ｐｎおよび表示装置２１〜２ｎが宣伝、広告などに有効活用される。しかも、広告担当機関からの広告依頼情報に基づいて、広告タスク３６によって掲載対象の電柱Ｐ１〜Ｐｎや広告内容などが自動的に割り出され、表示装置２１〜２ｎに送信されるため、広告の掲載、更新を適正かつ迅速に行うことが可能となる。
【００４５】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、広告担当機関から受信した広告依頼情報に基づいて、広告タスク３６によって対象電柱Ｐ１〜Ｐｎの割り出しや、広告データベース３５の広告内容３５２への記憶などを行っているが、キーボードなどの入力装置から、対象電柱Ｐ１〜Ｐｎや広告内容などを直接設定、記憶するようにしてもよい。また、情報提供機関からイベント情報を受信して、イベントタスク３７を起動するようにしているが、イベントタスク３７を起動してキーボード入力や音声入力などによって、イベント情報を入力するようにしてもよい。
【００４６】
さらに、上記の第１、２の例の場合に、避難所の方向を矢印で示してもよく、イベント掲載内容として生活支援情報（飲食物の供給計画や仮設住宅に関する情報など）やインフラ設備の復旧情報などを提供してもよい。また、表示装置２１〜２ｎにＬＥＤパネル２３以外のディスプレイ、例えば有機ＥＬ（Ｅｌｅｃｔｒｏ  Ｌｕｍｉｎｅｓｃｅｎｃｅ）パネルを使用してもよいことは勿論である。
【符号の説明】
【００４７】
１          情報表示システム
２１〜２ｎ  表示装置
２３        ＬＥＤパネル
３          管理コンピュータ（情報提供管理装置）
３４        電柱データベース
３５        広告データベース
３６        広告タスク（処理手段）
３７        イベントタスク（処理手段）
Ｐ１〜Ｐｎ  電柱
ＮＷ        通信網
【図１】
2010257107.tif 000003
【図２】
2010257107.tif 000004
【図３】
2010257107.tif 000005
【図４】
2010257107.tif 000006
【図５】
2010257107.tif 000007
【図６】
2010257107.tif 000008
【図７】
2010257107.tif 000009